(57)【要約】  窓ガラス（１００１）の屋内側の面（１００１ａ）に沿って設置され、窓ガラス（１００１）の屋内側の面（１００１ａ）の上側に対向するように設けられる光透過装置（２０）と、光透過装置（２０）に連接し、窓ガラス（１００１）の屋内側の面（１００１ａ）の下側に対向するように設けられる遮光装置（３０）と、を備えてなる採光システム（１０）。
2016175207.tif 000002
【特許請求の範囲】
【請求項１】
窓ガラスの屋内側の面に沿って設置される採光システムであって、
前記窓ガラスの屋内側の面の上側に対向するように設けられる光透過装置と、該光透過装置に連接し、前記窓ガラスの屋内側の面の下側に対向するように設けられる遮光装置と、を備えてなる採光システム。
【請求項２】
前記光透過装置は、光透過スラットを有し、前記遮光装置は、遮光スラットを有する請求項１に記載の採光システム。
【請求項３】
前記光透過装置に対向するように設けられる採光装置を備えた請求項１に記載の採光システム。
【請求項４】
前記採光装置は、光透過性を有する基材と、該基材の一面に互いに隣接して設けられた複数の光透過性を有する突起部と、有する請求項３に記載の採光システム。
【請求項５】
前記光透過装置は、水平方向に高拡散である光拡散方向の異方性を有する請求項１に記載の採光システム。
【請求項６】
前記光透過装置は、鉛直方向に光の向きを変化させるプリズム構造を有する請求項１に記載の採光システム。
【請求項７】
天井からの距離に応じて、前記プリズム構造を２種以上有する請求項６に記載の採光システム。
【請求項８】
前記採光装置は、前記窓ガラスの屋内側の面に設けられた請求項２に記載の採光システム。
【請求項９】
前記窓ガラスは、一対のガラス板が間隔を隔てて対向して配置された複層ガラスからなり、前記採光装置は、前記複層ガラス内に設けられた請求項８に記載の採光システム。
【請求項１０】
前記採光装置と対向する位置に光を拡散する光拡散装置が設けられた請求項８に記載の採光システム。
【請求項１１】
前記光透過装置は、前記窓ガラスの一面に設けられた遮光部と、該遮光部に連接し、該遮光部に対して傾斜する光透過部とを有する複合スラットを有する請求項１に記載の採光システム。
【請求項１２】
前記光透過装置と前記遮光装置は、独立して、前記窓ガラスの一面に沿って昇降可能である請求項１に記載の採光システム。
【発明の詳細な説明】
【技術分野】
【０００１】
本発明は、採光システムに関する。
本願は、２０１５年４月３０日に、日本に出願された特願２０１５−０９３６１９号に基づき優先権を主張し、その内容をここに援用する。
【背景技術】
【０００２】
窓ガラスに入射する日光等の外光を効率よく室内に導くために、窓ガラスの一面に沿って、採光フィルムを含む採光装置が設けられることが知られている（例えば、特許文献１参照）。
【先行技術文献】
【特許文献】
【０００３】
【特許文献１】特開２０１３−１５６５５４号公報
【発明の概要】
【発明が解決しようとする課題】
【０００４】
窓ガラスの一面に沿って採光装置を設ける際、グレア光となる直射光を遮断し、採光装置を介して天井方向に向けられた光のみを室内に導くためには、窓ガラスの一面おける採光装置よりも下側の領域を遮光する必要がある。しかしながら、遮光を目的として、従来のブラインドやロールスクリーンを設けた場合、窓全面を遮光した態様、または、窓全面もしくは窓の下側の領域が開口した態様（ブラインドやロールスクリーンが窓ガラスの一面に沿って巻き上げられた態様）をなすことしかできなかった。【０００５】
例えば、採光装置よりも下側に、採光装置に連接して、ブラインドやロールスクリーンを設ける場合、別途、ブラインドやロールスクリーンを巻き上げて収納するためのヘッドボックスを設ける必要がある。この場合、建物自体の工事が必要であるばかりではなく、その工事が大掛かりになるという課題があった。
また、採光装置よりも下側に、採光装置に吊り下げて、ブラインドやロールスクリーンを設ける場合、採光装置とブラインド等の全体の質量が大きくなる。この場合、採光装置を固定するための固定具に相当の強度が必要であるばかりではなく、採光装置の重心がずれて、その採光面を窓ガラスの一面に対して平行に配置することが難しいという課題があった。【０００６】
本発明の一態様は、上記事情に鑑みてなされたものであって、設置が容易であり、グレア光となる直射光を遮断し、天井方向に向けられた光のみを室内に導くことができる採光システムを提供することを目的とする。
【課題を解決するための手段】
【０００７】
本発明の１つの態様の採光システムは、窓ガラスの屋内側の面に沿って設置される採光システムであって、前記窓ガラスの屋内側の面の上側に対向するように設けられる光透過装置と、該光透過装置に連接し、前記窓ガラスの屋内側の面の下側に対向するように設けられる遮光装置と、を備えてなる。【０００８】
本発明の１つの態様の採光システムにおいて、前記光透過装置は、光透過スラットを有し、前記遮光装置は、遮光スラットを有していてもよい。【０００９】
本発明の１つの態様の採光システムにおいて、前記光透過装置に対向するように設けられる採光装置を備えていてもよい。【００１０】
本発明の１つの態様の採光システムにおいて、前記採光装置は、光透過性を有する基材と、該基材の一面に互いに隣接して設けられた複数の光透過性を有する突起部と、有していてもよい。【００１１】
本発明の１つの態様の採光システムにおいて、前記光透過装置は、水平方向に高拡散である光拡散方向の異方性を有していてもよい。【００１２】
本発明の１つの態様の採光システムにおいて、前記光透過装置は、鉛直方向に光の向きを変化させるプリズム構造を有していてもよい。【００１３】
本発明の１つの態様の採光システムにおいて、天井からの距離に応じて、前記プリズム構造を２種以上有していてもよい。【００１４】
本発明の１つの態様の採光システムにおいて、前記採光装置は、前記窓ガラスの屋内側の面に設けられていてもよい。【００１５】
本発明の１つの態様の採光システムにおいて、前記窓ガラスは、一対のガラス板が間隔を隔てて対向して配置された複層ガラスからなり、前記採光装置は、前記複層ガラス内に設けられていてもよい。【００１６】
本発明の１つの態様の採光システムにおいて、前記採光装置と対向する位置に光を拡散する光拡散装置が設けられていてもよい。【００１７】
本発明の１つの態様の採光システムにおいて、前記光透過装置は、前記窓ガラスの一面に設けられた遮光部と、該遮光部に連接し、該遮光部に対して傾斜する光透過部とを有する複合スラットを有する複合スラットを有していてもよい。【００１８】
本発明の１つの態様の採光システムにおいて、前記光透過装置と前記遮光装置は、独立して、前記窓ガラスの一面に沿って昇降可能であってもよい。前記光透過装置がブラインド型である場合には、スラットの開閉も独立して操作できることが好ましい。
【発明の効果】
【００１９】
本発明の一態様によれば、設置が容易であり、グレア光となる直射光を遮断し、天井方向に向けられた光のみを室内に導くことができる採光システムを提供することができる。
【図面の簡単な説明】
【００２０】
【図１Ａ】本発明の第１実施形態である採光システムの概略構成を示す断面図である。
【図１Ｂ】本発明の第１実施形態である採光システムの概略構成を示す正面図である。
【図２Ａ】本発明の第２実施形態である採光システムの概略構成を示す断面図である。
【図２Ｂ】本発明の第２実施形態である採光システムの概略構成を示す正面図である。
【図３Ａ】本発明の第３実施形態である採光システムの概略構成を示す断面図である。
【図３Ｂ】本発明の第３実施形態である採光システムの概略構成を示す図であり、図３Ａの一部を拡大した断面図である。
【図４Ａ】本発明の第４実施形態である採光システムの概略構成を示す断面図である。
【図４Ｂ】本発明の第４実施形態である採光システムの概略構成を示す図であり、図４Ａの一部を拡大した斜視図である。
【図５Ａ】本発明の第５実施形態である採光システムの概略構成を示す断面図である。
【図５Ｂ】本発明の第５実施形態である採光システムの概略構成を示す図であり、図５Ａの一部を拡大した斜視図である。
【図６Ａ】本発明の第６実施形態である採光システムの概略構成を示す断面図である。
【図６Ｂ】本発明の第６実施形態である採光システムの概略構成を示す図であり、図６Ａの一部を拡大した断面図である。
【図７Ａ】本発明の第６実施形態である採光システムの概略構成を示す図であり、図６Ａの一部を拡大した斜視図である。
【図７Ｂ】本発明の第６実施形態である採光システムの概略構成を示す図であり、図７ＡのＡ−Ａ線に沿う断面図である。
【図８Ａ】本発明の第７実施形態である採光システムの概略構成を示す断面図である。
【図８Ｂ】本発明の第７実施形態である採光システムの概略構成を示す図であり、図８Ａの一部を拡大した斜視図である。
【図８Ｃ】本発明の第７実施形態である採光システムの概略構成を示す図であり、図８ＢのＢ−Ｂ線に沿う断面図である。
【図９】本発明の第８実施形態である採光システムの概略構成を示す断面図である。
【図１０】本発明の第９実施形態である採光システムの概略構成を示す断面図である。
【図１１】本発明の第１０実施形態である採光システムの概略構成を示す断面図である。
【図１２】本発明の第１１実施形態である採光システムの概略構成を示す断面図である。
【図１３Ａ】本発明の第１２実施形態である採光システムの概略構成を示す断面図である。
【図１３Ｂ】本発明の第１２実施形態である採光システムの概略構成を示す第１の正面図である。
【図１３Ｃ】本発明の第１２実施形態である採光システムの概略構成を示す第２の正面図である。
【図１３Ｄ】本発明の第１２実施形態である採光システムの概略構成を示す第３の正面図である。
【図１４Ａ】本発明の第１３実施形態である採光システムの概略構成を示す斜視図である。
【図１４Ｂ】本発明の第１３実施形態である採光システムの概略構成を示す断面図である。
【図１４Ｃ】本発明の第１３実施形態である採光システムの概略構成を示す断面図である。
【図１５】採光装置および照明調光システムを備えた部屋モデルを示す図であって、図１６のＪ−Ｊ’線に沿う断面図である。
【図１６】部屋モデルの天井を示す平面図である。
【図１７】採光装置によって室内に採光された光（自然光）の照度と、室内照明装置による照度（照明調光システム）との関係を示すグラフである。
【発明を実施するための形態】
【００２１】
本発明の採光システムの実施の形態について説明する。
なお、本実施の形態は、発明の趣旨をより良く理解させるために具体的に説明するものであり、特に指定のない限り、本発明を限定するものではない。
【００２２】
［採光システム］
（第１実施形態）
図１Ａ及び図１Ｂは、本発明の第１実施形態である採光システムの概略構成を示す図であり、図１Ａは断面図、図１Ｂは正面図である。
図１Ａ、図１Ｂにおいて、符合１０００は部屋モデル、符号１００１は窓ガラス、符号１００２は部屋、符号１００２ａは天井、符号１００２ｂは太陽光が入射する側の壁、符号１００２ｃは床、符号１００２ｄは壁１００２ｂと対面の壁、符号１００３は床１００２ｃに立っている人を示す。
図１Ａに示すように、部屋１００２はオフィスを例としており、部屋１００２の断面（ＸＺ断面）の形状は矩形である。部屋１００２の高さＨ４（床１００２ｃから天井１００２ａまでの高さ）は、例えば、２．７ｍである。窓ガラス１００１は、壁１００２ｂ側において、天井１００２ａから、例えば、１．８ｍの部分に設けられている。窓ガラス１００１の高さＨ３は、例えば、１．８ｍである。
【００２３】
本実施形態の採光システム１０は、窓ガラス１００１の屋内（部屋１００２の内部）側の面１００１ａに沿って設置され、窓ガラス１００１の屋内側の面１００１ａの上側（天井１００２ａ側）に対向するように設けられる光透過装置２０と、光透過装置２０に連接し、窓ガラス１００１の屋内側の面１００１ａの下側（床１００２ｃ側）に対向するように設けられる遮光装置３０と、を備えている。
遮光装置３０が光透過装置２０に連接しているとは、遮光装置３０が光透過装置２０の下側に垂れ下がっていることを言う。
【００２４】
採光システム１０を構成する光透過装置２０は、窓ガラス１００１の屋内側の面１００１ａにおいて、人間の視界を遮らない部分（天井１００２ａから、例えば、０．６５ｍまでの部分）に設けられている。光透過装置２０の高さＨ１は、例えば、０．６５ｍである。
採光システム１０を構成する遮光装置３０は、窓ガラス１００１の屋内側の面１００１ａにおいて、人間の視界を遮る部分（天井１００２ａから、例えば、０．６５ｍから１．８ｍまでの部分）に設けられている。遮光装置３０の高さＨ２は、例えば、１．１５ｍである。
すなわち、採光システム１０の高さＨ５は、光透過装置２０の高さＨ１と遮光装置３０の高さＨ２を足した高さであり、例えば、１．８ｍである。
【００２５】
光透過装置２０は、光透過性の材料からなるロールスクリーン、カーテン、縦型ブラインド等から構成されている。
光透過性の材料としては、例えば、トリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の光透過性のフィルム（基材）が用いられる。
【００２６】
遮光装置３０は、光不透過性の材料からなるロールスクリーン、カーテン、縦型ブラインド等から構成されている。
光不透過性の材料としては、例えば、アルミニウム箔、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等の光透過性の樹脂に顔料を添加して、所定の形状に成形してなるフィルム（基材）等が用いられる。
【００２７】
本実施形態の採光システム１０によれば、遮光装置３０によりグレア光となる直射光を遮断し、光透過装置２０により天井１００２ａの方向に向けられた光のみを室内に導くことができる。また、本実施形態の採光システム１０は、光透過装置２０および遮光装置３０が、ロールスクリーン、カーテン、縦型ブラインド等から構成されるため、窓ガラス１００１の屋内側の面１００１ａに沿って容易に設置することができる。
【００２８】
（第２実施形態）
図２Ａ及び図２Ｂは、本発明の第２実施形態である採光システムの概略構成を示す図であり、図２Ａは断面図、図２Ｂは正面図である。図２Ａ及び図２Ｂにおいて、図１Ａ及び図１Ｂに示した第１実施形態の採光システムと同一の構成要素には同一符号を付して、その説明を省略する。
本実施形態の採光システム４０は、窓ガラス１００１の屋内（部屋１００２の内部）側の面１００１ａに沿って設置され、窓ガラス１００１の屋内側の面１００１ａの上側（天井１００２ａ側）に対向するように設けられる光透過装置５０と、光透過装置５０に連接し、窓ガラス１００１の屋内側の面１００１ａの下側（床１００２ｃ側）に対向するように設けられる遮光装置６０と、を備えている。
遮光装置６０が光透過装置５０に連接しているとは、遮光装置６０が光透過装置５０の下側に垂れ下がっていることを言う。
【００２９】
採光システム４０を構成する光透過装置５０は、窓ガラス１００１の屋内側の面１００１ａにおいて、人間の視界を遮らない部分（天井１００２ａから、例えば、０．６５ｍまでの部分）に設けられている。光透過装置５０の高さＨ１は、例えば、０．６５ｍである。
採光システム４０を構成する遮光装置６０は、窓ガラス１００１の屋内側の面１００１ａにおいて、人間の視界を遮る部分（天井１００２ａから、例えば、０．６５ｍから１．８ｍまでの部分）に設けられている。遮光装置６０の高さＨ２は、例えば、１．１５ｍである。
すなわち、採光システム１０の高さＨ５は、光透過装置５０の高さＨ１と遮光装置６３０の高さＨ２を足した高さであり、例えば、１．８ｍである。
【００３０】
光透過装置５０は、多数の光透過性のスラット（ルーバー）が糸で繋がれてなるブラインドから構成されている。スラット（ルーバー）とは、細長い帯状の板のことである。
光透過性のスラットとしては、例えば、トリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の光透過性のフィルム（基材）からなるスラットが用いられる。
【００３１】
遮光装置６０は、多数の光不透過性のスラット（ルーバー）が糸で繋がれてなるブラインドから構成されている。
光不透過性のスラットとしては、例えば、アルミニウム製のスラット、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等の光透過性の樹脂に顔料を添加して、所定の形状に成形してなる光不透過性のフィルム（基材）からなるスラットが用いられる。
【００３２】
本実施形態の採光システム４０によれば、遮光装置６０によりグレア光となる直射光を遮断し、光透過装置５０により天井１００２ａの方向に向けられた光のみを室内に導くことができる。また、本実施形態の採光システム１０は、光透過装置２０および遮光装置３０がブラインドから構成されるため、窓ガラス１００１の屋内側の面１００１ａに沿って容易に設置することができる。また、ブラインド上部のスラットを取り除くことで同様の効果が得られるが、その場合は、上部の糸のみが残る構造となり、ブラインドを畳んだ際に糸が余り、効率よく収納できないという問題が生じる。この観点からも、光透過性のスラットを用いることが好ましい。
【００３３】
（第３実施形態）
図３Ａ及び図３Ｂは、本発明の第３実施形態である採光システムの概略構成を示す図であり、図３Ａは断面図、図３Ｂは図３Ａの一部を拡大した断面図である。図３Ａ及び図３Ｂにおいて、図１Ａ及び図１Ｂに示した第１実施形態の採光システムおよび図２Ａ及び図２Ｂに示した第２実施形態の採光システムと同一の構成要素には同一符号を付して、その説明を省略する。
本実施形態の採光システム７０は、窓ガラス１００１の屋内（部屋１００２の内部）側の面１００１ａに沿って設置され、窓ガラス１００１の屋内側の面１００１ａの上側（天井１００２ａ側）に対向するように設けられる光透過装置５０と、光透過装置５０に連接し、窓ガラス１００１の屋内側の面１００１ａの下側（床１００２ｃ側）に対向するように設けられる遮光装置６０と、光透過装置５０に対向し、光透過装置５０よりも窓ガラス１００１の屋内側の面１００１ａ側に設けられる採光装置８０と、を備えている。
本実施形態の採光システム７０では、光透過装置５０と窓ガラス１００１の屋内側の面１００１ａの間に、採光装置８０が配置されている。
【００３４】
採光装置８０は、図３Ｂに示すように、採光シート８１と、採光シート８１を保持する第１ガラス基板（第１基板）８２と、光拡散シート８３と、光拡散シート８３を保持する第２ガラス基板（第２基板）８４と、これら複数の構成要素を支持するフレーム（支持部材）８５と、を有する。また、第１ガラス基板８２と光拡散シート８３との間にスペーサー８６が配置されている。
採光シート８１は、光透過性を有する基材８７と、基材８７の一方の面（光入射面、屋外側の面）８７ａに互いに隣接して設けられた複数の光透過性を有する突起部８８と、を有する。突起部８８は、その長手方向が窓ガラス１００１の高さ方向と垂直な方向に延在するように、基材８７の一方の面８７ａに設けられている。
【００３５】
本実施形態の採光システム７０によれば、遮光装置６０によりグレア光となる直射光を遮断し、光透過装置５０により天井１００２ａの方向に向けられた光のみを室内に導くことができる。また、本実施形態の採光システム７０によれば、光透過装置５０と窓ガラス１００１の屋内側の面１００１ａの間に、採光装置８０を配置することにより、部屋１００２内への採光性能（光を採り入れる性能）を向上することができる。また、本実施形態の採光システム７０は、光透過装置２０および遮光装置３０がブラインド等から構成されるため、窓ガラス１００１の屋内側の面１００１ａに沿って容易に設置することができる。
【００３６】
なお、本実施形態では、光透過装置５０と窓ガラス１００１の屋内側の面１００１ａの間に、採光装置８０が配置されている場合を例示したが、本実施形態はこれに限定されない。本実施形態にあっては、採光装置８０が、光透過装置５０における窓ガラス１００１の屋内側の面１００１ａと対向する側とは反対側に配置されていてもよい。なお、採光装置８０は、上述の構造に限定されず、例えば、太陽光を反射させて室内に送ることができるライトシェルやルーバーのような形態であってもよい。
【００３７】
（第４実施形態）
図４Ａ及び図４Ｂは、本発明の第４実施形態である採光システムの概略構成を示す図であり、図４Ａは断面図、図４Ｂは図４Ａの一部を拡大した斜視図である。図４Ａ及び図４Ｂにおいて、図１Ａ及び図１Ｂに示した第１実施形態の採光システム、図２Ａ及び図２Ｂに示した第２実施形態の採光システムおよび図３Ａ及び図３Ｂに示した第３実施形態の採光システムと同一の構成要素には同一符号を付して、その説明を省略する。
本実施形態の採光システム９０は、窓ガラス１００１の屋内（部屋１００２の内部）側の面１００１ａに沿って設置され、窓ガラス１００１の屋内側の面１００１ａの上側（天井１００２ａ側）に対向するように設けられる光透過装置５０と、光透過装置５０に連接し、窓ガラス１００１の屋内側の面１００１ａの下側（床１００２ｃ側）に対向するように設けられる遮光装置６０と、光透過装置５０に対向し、光透過装置５０における窓ガラス１００１の屋内側の面１００１ａと対向する側とは反対側に設けられる採光装置８０と、を備えている。
【００３８】
図４Ｂに示すように、光透過装置５０を構成する多数の光透過性のスラット５１は、その長手方向と垂直な断面の形状がＶ字状をなしており、その頂角αが、例えば、１５０度である。また、多数のスラット５１は、それぞれの頂角αが部屋モデル１０００の天井１００２ａ側に凸となるように、糸で繋がれている。なお、頂角αは、部屋１００２内へ導く光の向きに応じて、適宜調整される。
スラット５１における部屋１００２の天井１００２ａ側に配置される面５１ａには、光を散乱させるための散乱板５２が設けられている。散乱板５２としては、例えば、白ＰＥＴ樹脂製の白色散乱板等が挙げられる。
【００３９】
本実施形態の採光システム９０によれば、遮光装置６０によりグレア光となる直射光を遮断することができる。また、本実施形態の採光システム９０によれば、光透過装置５０を構成する多数の光透過性のスラット５１における部屋１００２の天井１００２ａ側に配置される面５１ａには、光を散乱させるための散乱板５２が設けられているため、窓ガラス１００１を透過した入射光を、散乱板５２で拡散させて、部屋１００２全体に行き渡らせることができる。また、本実施形態の採光システム９０によれば、光透過装置５０および遮光装置６０がブラインド等から構成されるため、窓ガラス１００１の屋内側の面１００１ａに沿って容易に設置することができる。
【００４０】
（第５実施形態）
図５Ａ及び図５Ｂは、本発明の第５実施形態である採光システムの概略構成を示す図であり、図５Ａは断面図、図５Ｂは図５Ａの一部を拡大した斜視図である。図５Ａ及び図５Ｂにおいて、図１Ａ及び図１Ｂに示した第１実施形態の採光システム、図２Ａ及び図２Ｂに示した第２実施形態の採光システム、図３Ａ及び図３Ｂに示した第３実施形態の採光システムおよび図４Ａ及び図４Ｂに示した第４実施形態の採光システムと同一の構成要素には同一符号を付して、その説明を省略する。
本実施形態の採光システム１００は、窓ガラス１００１の屋内（部屋１００２の内部）側の面１００１ａに沿って設置され、窓ガラス１００１の屋内側の面１００１ａの上側（天井１００２ａ側）に対向するように設けられる光透過装置５０と、光透過装置５０に連接し、窓ガラス１００１の屋内側の面１００１ａの下側（床１００２ｃ側）に対向するように設けられる遮光装置６０と、光透過装置５０に対向し、光透過装置５０における窓ガラス１００１の屋内側の面１００１ａと対向する側とは反対側に設けられる採光装置８０と、を備えている。
【００４１】
本実施形態の採光システム１００では、スラット５１は、例えば、その内部に、光を散乱または透過させる、図示しない透明粒子が均一に分散されてなるフィルムである。
【００４２】
本実施形態の採光システム１００によれば、遮光装置６０によりグレア光となる直射光を遮断することができる。また、本実施形態の採光システム１００によれば、光透過装置５０を構成する多数の光透過性のスラット５１が、その内部に、光を散乱または透過させる透明粒子が均一に分散されたものであるため、窓ガラス１００１を透過した入射光を、上記の透明粒子で拡散させて、部屋１００２全体に行き渡らせることができる。また、本実施形態の採光システム１００によれば、光透過装置５０および遮光装置６０がブラインド等から構成されるため、窓ガラス１００１の屋内側の面１００１ａに沿って容易に設置することができる。
【００４３】
（第６実施形態）
図６Ａ及び図６Ｂは、本発明の第６実施形態である採光システムの概略構成を示す図であり、図６Ａは断面図、図６Ｂは図６Ａの一部を拡大した断面図である。図７Ａ及び図７Ｂは、本発明の第６実施形態である採光システムの概略構成を示す図であり、図７Ａは図６Ａの一部を拡大した斜視図、図７Ｂは図７ＡのＡ−Ａ線に沿う断面図である。図６Ａ、図６Ｂ、図７Ａおよび図７Ｂにおいて、図１Ａ及び図１Ｂに示した第１実施形態の採光システム、図２Ａ及び図２Ｂに示した第２実施形態の採光システム、図３Ａ及び図３Ｂに示した第３実施形態の採光システムおよび図４Ａ及び図４Ｂに示した第４実施形態の採光システムと同一の構成要素には同一符号を付して、その説明を省略する。
本実施形態の採光システム１１０は、窓ガラス１００１の屋内（部屋１００２の内部）側の面１００１ａに沿って設置され、窓ガラス１００１の屋内側の面１００１ａの上側（天井１００２ａ側）に対向するように設けられる光透過装置５０と、光透過装置５０に連接し、窓ガラス１００１の屋内側の面１００１ａの下側（床１００２ｃ側）に対向するように設けられる遮光装置６０と、光透過装置５０に対向し、光透過装置５０よりも窓ガラス１００１の屋内側の面１００１ａ側に設けられる採光装置１２０と、を備えている。
本実施形態の採光システム１１０では、光透過装置５０と窓ガラス１００１の屋内側の面１００１ａの間に、採光装置１２０が配置されている。
【００４４】
採光装置１２０は、図６Ｂに示すように、採光シート８１と、採光シート８１を保持する第１ガラス基板（第１基板）８２と、これら複数の構成要素を支持するフレーム（支持部材）８５と、を有する。
採光シート８１は、光透過性を有する基材８７と、基材８７の一方の面（光入射面、屋外側の面）８７ａに互いに隣接して設けられた複数の光透過性を有する突起部８８と、を有する。突起部８８は、その長手方向が窓ガラス１００１の高さ方向と垂直な方向に延在するように、基材８７の一方の面に設けられている。
【００４５】
図７Ａ、図７Ｂに示すように、光透過装置５０を構成する多数の光透過性のスラット５１は、その長手方向と垂直な断面の形状がＶ字状をなしており、その頂角αが、例えば、１５０度である。また、多数のスラット５１は、それぞれの頂角αが部屋モデル１０００の天井１００２ａ側に凸となるように、糸で繋がれている。なお、頂角αは、部屋１００２内へ導く光の方向に応じて、適宜調整される。
スラット５１における部屋モデル１０００の天井１００２ａ側に配置される面５１ａには、スラット５１の長手方向に沿って互いに隣接する複数の光透過性を有する突起部５３が設けられている。突起部５３は、その長手方向と垂直な断面の形状が、上記の面５１ａとは反対側に凸の半円状をなしている。突起部５３は、その長手方向がスラット５１の長手方向と垂直な方向に延在するように、上記の面５１ａに設けられている。この突起部５３は、水平方向に高拡散である光拡散方向の異方性を有する。
【００４６】
本実施形態の採光システム１１０によれば、遮光装置６０によりグレア光となる直射光を遮断することができる。また、本実施形態の採光システム１１０によれば、光透過装置５０を構成する多数の光透過性のスラット５１における部屋モデル１０００の天井１００２ａ側に配置される面５１ａに、スラット５１の長手方向に沿って互いに隣接する複数の光透過性を有する突起部５３が設けられているため、窓ガラス１００１を透過した入射光を、突起部５３で水平方向に高拡散させて、部屋１００２内に導くことができる。また、本実施形態の採光システム１１０によれば、スラット５１が突起部５３を有するため、上述の第３の実施形態のように光拡散シートを設ける必要がなく、採光システム１１０を軽量化することができ、窓ガラス１００１の屋内側の面１００１ａに沿って容易に設置することができる。本実施形態では、スラット５１の面５１ａに突起部５３を設けることで異方性拡散機能を付与しているが、異方性拡散機能を付与する方法はこれに限定されない。
例えば、異方性拡散フィルムを、スラット５１の面５１ａに貼り付けることにより、異方性拡散機能を付与してもよい。
【００４７】
（第７実施形態）
図８Ａ〜図８Ｃは、本発明の第７実施形態である採光システムの概略構成を示す図であり、図８Ａは断面図、図８Ｂは図８Ａの一部を拡大した斜視図、図８Ｃは図８ＢのＢ−Ｂ線に沿う断面図である。図８Ａ〜図８Ｃにおいて、図１Ａ及び図１Ｂに示した第１実施形態の採光システム、図２Ａ及び図２Ｂに示した第２実施形態の採光システム、図３Ａ及び図３Ｂに示した第３実施形態の採光システムおよび図４Ａ及び図４Ｂに示した第４実施形態の採光システムと同一の構成要素には同一符号を付して、その説明を省略する。
本実施形態の採光システム１３０は、窓ガラス１００１の屋内（部屋１００２の内部）側の面１００１ａに沿って設置され、窓ガラス１００１の屋内側の面１００１ａの上側（天井１００２ａ側）に対向するように設けられる光透過装置５０と、光透過装置５０に連接し、窓ガラス１００１の屋内側の面１００１ａの下側（床１００２ｃ側）に対向するように設けられる遮光装置６０と、光透過装置５０に対向し、光透過装置５０よりも窓ガラス１００１の屋内側の面１００１ａ側に設けられる採光装置８０と、を備えている。
本実施形態の採光システム１３０では、光透過装置５０と窓ガラス１００１の屋内側の面１００１ａの間に、採光装置８０が配置されている。
【００４８】
図８Ｂ、図８Ｃに示すように、光透過装置５０を構成する多数の光透過性のスラット５１は、その長手方向と垂直な断面の形状がＶ字状をなしており、その頂角αが、例えば、１５０度である。また、多数のスラット５１は、それぞれの頂角αが部屋モデル１０００の天井１００２ａ側に凸となるように、糸で繋がれている。なお、頂角αは、部屋１００２内へ導く光の方向に応じて、適宜調整される。
スラット５１における部屋１００２の天井１００２ａ側に配置される面５１ａには、スラット５１の長手方向に沿って互いに隣接する複数の光透過性を有するプリズム５４が設けられている。プリズム５４は、その長手方向と垂直な断面の形状が、上記の面５１ａとは反対側に凸の三角形状をなしている。プリズム５４は、その長手方向がスラット５１の長手方向に沿って延在するように、上記の面５１ａに設けられている。
このプリズム５４は、プリズム５４に入射した入射光の向きを、部屋１００２の高さＨ４方向（鉛直方向）へ変化させる。
【００４９】
本実施形態の採光システム１３０によれば、遮光装置６０によりグレア光となる直射光を遮断することができる。
また、本実施形態の採光システム１３０によれば、採光装置８０を介して天井１００２ａ側に向けられた入射光の向きを、さらに変えることができる。
また、本実施形態の採光システム１３０によれば、プリズム５４の形状や、スラット５１の角度を調整することにより、同一の採光装置８０を用いても、季節や時間に応じて入射光の向きを微調整することができる。
【００５０】
また、本実施形態の採光システム１３０では、天井１００２ａからの距離に応じて、プリズム５４は、２種以上の構造を有していてもよい。例えば、光透過装置５０のうち、天井１００２ａに近い領域を構成するスラット５１では、プリズム５４は入射光を水平方向に曲げる構造を有し、光透過装置５０のうち、天井１００２ａから離れた領域を構成するスラット５１では、プリズム５４は入射光を天井１００２ａ側に曲げる構造を有する。このように、天井１００２ａからの距離に応じて、プリズム５４の構造を２種以上とすることにより、スラット５１の位置（高さ）に応じて、入射光を曲げる向きを修正することができる。このように、本実施形態の採光システム１３０によれば、同一の採光装置８０を用いても、使用状況に応じた採光性能に補正することができる。
【００５１】
また、本実施形態の採光システム１３０は、光透過装置５０および遮光装置６０がブラインド等から構成されるため、窓ガラス１００１の屋内側の面１００１ａに沿って容易に設置することができる。
【００５２】
（第８実施形態）
図９は、本発明の第８実施形態である採光システムの概略構成を示す断面図である。図９において、図１Ａ及び図１Ｂに示した第１実施形態の採光システムと同一の構成要素には同一符号を付して、その説明を省略する。
本実施形態の採光システム１４０は、窓ガラス１００１の屋内（部屋の内部）側の面１００１ａに沿って設置され、窓ガラス１００１の屋内側の面１００１ａの上側（天井側）に対向するように設けられる光透過装置５０と、光透過装置５０に連接し、窓ガラス１００１の屋内側の面１００１ａの下側（床側）に対向するように設けられる遮光装置６０と、光透過装置５０に対向し、光透過装置５０よりも窓ガラス１００１の屋内側の面１００１ａ側に設けられる採光装置１５０と、を備えている。
本実施形態の採光システム１４０では、採光装置１５０が、窓ガラス１００１の屋内側の面１００１ａに設けられている。
【００５３】
採光装置１５０は、光透過性を有する基材１５１と、基材１５１の一方の面１５１ａに互いに隣接して設けられた複数の光透過性を有する突起部１５２と、を有する採光シート１５３からなる。
突起部１５２は、その長手方向が窓ガラス１００１の高さ方向と垂直な方向に延在するように、基材１５１の一方の面１５１ａに設けられている。
【００５４】
本実施形態の採光システム１４０によれば、遮光装置６０によりグレア光となる直射光を遮断し、光透過装置５０により天井１００２ａの方向に向けられた光のみを室内に導くことができる。また、本実施形態の採光システム１４０は、採光装置１５０が、窓ガラス１００１の屋内側の面１００１ａに設けられているため、構成が簡略化され、窓ガラス１００１の屋内側の面１００１ａに沿って容易に設置することができる。
【００５５】
（第９実施形態）
図１０は、本発明の第９実施形態である採光システムの概略構成を示す断面図である。
図１０において、図１Ａ及び図１Ｂに示した第１実施形態の採光システムおよび図９に示した第８実施形態の採光システムと同一の構成要素には同一符号を付して、その説明を省略する。
本実施形態の採光システム１６０は、窓ガラス１１００の屋内（部屋の内部）側の面１１００ａに沿って設置され、窓ガラス１１００の屋内側の面１１００ａの上側（天井側）に対向するように設けられる光透過装置５０と、光透過装置５０に連接し、窓ガラス１１００の屋内側の面１１００ａの下側（床側）に対向するように設けられる遮光装置６０と、光透過装置５０に対向するように設けられる採光装置１５０と、採光装置１５０と対向する位置に設けられる、光拡散シートからなる光拡散装置１７０と、を備えている。
【００５６】
本実施形態では、窓ガラス１１００が、一対のガラス板１１０１，１１０２が、スペーサー１１０３を介して間隔を隔てて対向して配置された複層ガラスである。以下、屋内側に配置されるガラス板１１０１を第１のガラス板１１０１、屋外側に配置されるガラス板１１０２を第２のガラス板１１０２と言う。
【００５７】
本実施形態の採光システム１６０では、採光装置１５０が、窓ガラス１１００内、すなわち、第１のガラス板１１０１と第２のガラス板１１０２の間に設けられている。より詳細には、採光装置１５０は、第２のガラス板１１０２における第１のガラス板１１０１と対向する面１１０２ａに設けられている。
また、光拡散装置１７０が、窓ガラス１１００内、すなわち、第１のガラス板１１０１と第２のガラス板１１０２の間に設けられている。より詳細には、光拡散装置１７０は、第１のガラス板１１０１における第２のガラス板１１０２と対向する面１１０１ａに設けられている。
【００５８】
本実施形態の採光システム１６０によれば、遮光装置６０によりグレア光となる直射光を遮断し、光透過装置５０により天井１００２ａの方向に向けられた光のみを室内に導くことができる。また、本実施形態の採光システム１６０は、複層ガラスからなる窓ガラス１１００内に、採光装置１５０および光拡散装置１７０が設けられているため、構成が簡略化され、窓ガラス１００１の屋内側の面１００１ａに沿って容易に設置することができる。
【００５９】
（第１０実施形態）
図１１は、本発明の第１０実施形態である採光システムの概略構成を示す断面図である。図１１において、図１Ａ及び図１Ｂに示した第１実施形態の採光システム、図９に示した第８実施形態の採光システムおよび図１０に示した第９実施形態の採光システムと同一の構成要素には同一符号を付して、その説明を省略する。
本実施形態の採光システム１８０は、窓ガラス１１００の屋内（部屋の内部）側の面１１００ａに沿って設置され、窓ガラス１１００の屋内側の面１１００ａの上側（天井側）に対向するように設けられる光透過装置５０と、光透過装置５０に連接し、窓ガラス１１００の屋内側の面１１００ａの下側（床側）に対向するように設けられる遮光装置６０と、光透過装置５０に対向するように設けられる採光装置１５０と、採光装置１５０と対向する位置に設けられる、光拡散シートからなる光拡散装置１７０と、を備えている。
【００６０】
本実施形態の採光システム１８０では、採光装置１５０が、窓ガラス１１００内、すなわち、第１のガラス板１１０１と第２のガラス板１１０２の間に設けられている。より詳細には、採光装置１５０は、第１のガラス板１１０１における第２のガラス板１１０２と対向する面１１０１ａに設けられている。
また、光拡散装置１７０が、窓ガラス１１００内、すなわち、第１のガラス板１１０１と第２のガラス板１１０２の間に設けられている。より詳細には、光拡散装置１７０は、第２のガラス板１１０２における第１のガラス板１１０１と対向する面１１０２ａに設けられている。
【００６１】
本実施形態の採光システム１８０によれば、遮光装置６０によりグレア光となる直射光を遮断し、光透過装置５０により天井１００２ａの方向に向けられた光のみを室内に導くことができる。また、本実施形態の採光システム１８０は、複層ガラスからなる窓ガラス１１００内に、採光装置１５０および光拡散装置１７０が設けられているため、構成が簡略化され、窓ガラス１００１の屋内側の面１００１ａに沿って容易に設置することができる。
【００６２】
（第１１実施形態）
図１２は、本発明の第１１実施形態である採光システムの概略構成を示す断面図である。図１２において、図１Ａ及び図１Ｂに示した第１実施形態の採光システム、図９に示した第８実施形態の採光システムおよび図１０に示した第９実施形態の採光システムと同一の構成要素には同一符号を付して、その説明を省略する。
本実施形態の採光システム１９０は、窓ガラス１１００の屋内（部屋の内部）側の面１１００ａに沿って設置され、窓ガラス１１００の屋内側の面１１００ａの上側（天井側）に対向するように設けられる光透過装置５０と、光透過装置５０に連接し、窓ガラス１１００の屋内側の面１１００ａの下側（床側）に対向するように設けられる遮光装置６０と、光透過装置５０に対向するように設けられる採光装置１５０と、採光装置１５０と対向する位置に設けられる、光拡散シートからなる光拡散装置１７０と、を備えている。
【００６３】
本実施形態の採光システム１９０では、採光装置１５０が、窓ガラス１１００内、すなわち、第１のガラス板１１０１と第２のガラス板１１０２の間に設けられている。より詳細には、採光装置１５０は、第１のガラス板１１０１における第２のガラス板１１０２と対向する面１１０１ａに設けられている。
また、光拡散装置１７０が、第１のガラス板１１０１における第２のガラス板１１０２と対向する面１１０１ａとは反対側の面１１０１ｂに設けられている。
【００６４】
本実施形態の採光システム１９０によれば、遮光装置６０によりグレア光となる直射光を遮断し、光透過装置５０により天井１００２ａの方向に向けられた光のみを室内に導くことができる。また、本実施形態の採光システム１９０は、採光装置１５０は、第１のガラス板１１０１における第２のガラス板１１０２と対向する面１１０１ａに設けられ、光拡散装置１７０が、第１のガラス板１１０１における第２のガラス板１１０２と対向する面１１０１ａとは反対側の面１１０１ｂに設けられているため、構成が簡略化され、窓ガラス１００１の屋内側の面１００１ａに沿って容易に設置することができる。
【００６５】
（第１２実施形態）
図１３Ａは、本発明の第１２実施形態である採光システムの概略構成を示す断面図であり、図１３Ｂ〜図１３Ｄは、本発明の第１２実施形態である採光システムの概略構成を示す正面図である。図１３Ａ〜図１３Ｄにおいて、図１Ａ及び図１Ｂに示した第１実施形態の採光システム、図２Ａ及び図２Ｂに示した第２実施形態の採光システムおよび図３Ａ及び図３Ｂに示した第３実施形態の採光システムと同一の構成要素には同一符号を付して、その説明を省略する。
本実施形態の採光システム２００は、窓ガラス１００１の屋内（部屋１００２の内部）側の面１００１ａに沿って設置され、窓ガラス１００１の屋内側の面１００１ａの上側（天井１００２ａ側）に対向するように設けられる光透過装置５０と、光透過装置５０に連接し、窓ガラス１００１の屋内側の面１００１ａの下側（床１００２ｃ側）に対向するように設けられる遮光装置６０と、光透過装置５０に対向し、光透過装置５０よりも窓ガラス１００１の屋内側の面１００１ａ側に設けられる採光装置８０と、を備えている。
本実施形態の採光システム２００では、光透過装置５０と遮光装置６０は、それぞれ独立して、窓ガラス１００１の屋内側の面１００１ａに沿って昇降可能となっている。光透過装置５０と遮光装置６０は、それぞれ異なる紐等で昇降可能となっている。また、図１３Ａ〜図１３Ｄには示されていないが、光透過装置５０と遮光装置６０は、それぞれ異なる紐等で操作できるため、スラットの開閉についても独立して操作できる構造となっている。
【００６６】
本実施形態の採光システム２００によれば、部屋１００２内へ光を採り入れる場合、図１３Ｂに示すように、光透過装置５０を開いた状態とする。また、部屋１００２を完全に遮光する場合、図１３Ｃに示すように、光透過装置５０を巻き上げる等して、光透過装置５０を閉じた状態とし、窓ガラス１００１の屋内側の面１００１ａ全面を遮光装置６０で覆う。なお、遮光装置６０は、光透過装置５０を閉じた状態で、窓ガラス１００１の屋内側の面１００１ａ全面を遮光装置６０で覆うことができる大きさとする。また、図１３Ｄに示すように、光透過装置５０を巻き上げる等して、光透過装置５０を閉じた状態とし、遮光装置６０を巻き上げる等して、遮光装置６０を閉じた状態とすることにより、窓ガラス１００１の屋内側の面１００１ａ全面が採光システム２００によって覆われていない状態とすることができる。
【００６７】
（第１３実施形態）
図１４Ａ〜図１４Ｃは、本発明の第１３実施形態である採光システムの概略構成を示す図であり、図１４Ａは斜視図、図１４Ｂは断面図、図１４Ｃは断面図である。
本実施形態の採光システムは、例えば、上述の第２実施形態の採光システムにおいて、図１４Ａ〜図１４Ｃに示すように、光透過装置５０は、上記の窓ガラス１００１の屋内側の面１００１ａに設けられた遮光部５５と、遮光部５５に連接し、遮光部５５に対して傾斜する光透過部５６とを有する複合スラット５７を有する。
【００６８】
光透過装置５０は、多数の複合スラット５７が糸で繋がれてなるブラインドから構成されている。光透過装置５０を構成する多数の複合スラット５７は、その長手方向と垂直な断面の形状がＶ字状をなしており、その頂角αが、例えば、１５０度である。また、多数の複合スラット５７は、それぞれの頂角αが、上記の部屋モデル１０００の天井１００２ａ側に凸となるように、糸で繋がれている。なお、頂角αは、部屋１００２内へ導く光の向きに応じて、適宜調整される。
【００６９】
光透過部５６は、上記の光透過性のスラットと同様の材料から構成されている。
遮光部５５は、上記の光不透過性のスラットと同様の材料から構成されている。
【００７０】
本実施形態の採光システムによれば、図１４Ｂに示すように、複合スラット５７を回転させて、遮光部５５を窓ガラス１００１の屋内側の面１００１ａに沿うように配置することより、窓ガラス１００１への入射光の量を少なくすることができる。また、窓ガラス１００１へ入射した光は、天井１００２ａの方向のみに向けられる。また、図１４Ｃに示すように、複合スラット５７を回転させて、光透過部５６を、窓ガラス１００１の屋内側の面１００１ａ側を向くように配置することより、部屋１００２内への入射光の量を多くすることができる。
【００７１】
［照明調光システム］
図１５は、採光システムおよび照明調光システムを備えた部屋モデルを示す図であって、図１６のＪ−Ｊ’線に沿う断面図である。図１６は、部屋モデル２０００の天井を示す平面図である。
【００７２】
部屋モデル２０００において、外光が導入される部屋２００３の天井２００３ａを構成する天井材は、高い光反射性を有していてもよい。図１５および図１６に示すように、部屋２００３の天井２００３ａには、光反射性を有する天井材として、光反射性天井材２００３Ａが設置されている。光反射性天井材２００３Ａは、窓２００２に設置された採光システム２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【００７３】
この光反射性天井材２００３Ａは、先に述べたように、採光システム２０１０（上述したいずれかの実施形態の採光システム）が設置された窓２００２を介して室内に導入された外光を室内の奥の方まで効率よく導く働きをする。採光システム２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【００７４】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光線を抑える効果を両立するために、両者の特性が適度にミックスされたものが好ましい。
【００７５】
このように、採光システム２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【００７６】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【００７７】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【００７８】
採光システム２０１０は、部屋２００３の照明調光システムの一部として用いられる。
照明調光システムは、例えば、採光システム２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【００７９】
部屋２００３の窓２００２には、上部側に採光システム２０１０が設置され、下部側に日射調整装置２００８が設置されている。ここでは、日射調整装置２００８として、ブラインドが設置されているが、これに限らない。
【００８０】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光システム２０１０と併せて部屋２００３の全体の照明システムを構成している。
【００８１】
図１５および図１６に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）および奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【００８２】
室内照明装置２００７は、室内照明器具２００７ａと、明るさ検出部２００７ｂと、制御部２００７ｃと、を備え、室内照明器具２００７ａに明るさ検出部２００７ｂおよび制御部２００７ｃが一体化されて構成されたものである。
【００８３】
室内照明装置２００７は、室内照明器具２００７ａおよび明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机２００５の机上面２００５ａの照度を検出する。
【００８４】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【００８５】
図１７は、採光装置によって室内に採光された光（自然光）の照度と、室内照明装置による照度（照明調光システム）との関係を示すグラフである。図１６において、縦軸は机上面の照度（ｌｘ）を示し、横軸は窓からの距離（ｍ）を示している。また、図中の破線は、室内の目標照度を示している。（●：採光装置による照度、△：室内照明装置による照度、◇：合計照度）
【００８６】
図１７に示すように、採光システム２０１０により採光された光に起因する机上面照度は、窓近傍ほど明るく、窓から遠くなるに従ってその効果は小さくなる。採光システム２０１０を適用した部屋では、昼間において窓からの自然採光によりこのような部屋奥方向への照度分布が生じる。そこで、採光システム２０１０は、室内の照度分布を補償する室内照明装置２００７と併用して用いられる。室内天井に設置された室内照明装置２００７は、それぞれの装置の下の平均照度を明るさ検出部２００７ｂによって検出し、部屋全体の机上面照度が一定の目標照度Ｌ０になるように調光制御されて点灯する。従って、窓近傍に設置されているＳ１列、Ｓ２列はほとんど点灯せず、Ｓ３列、Ｓ４列、Ｓ５列と部屋奥方向に向かうに従って出力を上げながら点灯される。結果として、部屋の机上面は自然採光による照度と室内照明装置２００７による照明の合計で照らされ、部屋全体に亘って執務をする上で十分とされる机上面照度である７５０ｌｘ（「ＪＩＳ  Ｚ９１１０  照明総則」の執務室における推奨維持照度）を実現することができる。
【００８７】
以上述べたように、採光システム２０１０と照明調光システム（室内照明装置２００７）とを併用することにより、室内の奥の方まで光を届けることが可能となり、室内の明るさをさらに向上させることができるとともに部屋全体に亘って執務をする上で十分とされる机上面照度を確保することができる。したがって、季節や天気による影響を受けずにより一層安定した明るい光環境が得られる。
【産業上の利用可能性】
【００８８】
本発明の一態様は、窓ガラス、ロールスクリーンおよび採光ルーバーに利用可能である。
【符号の説明】
【００８９】
１０，４０，７０，９０，１００，１１０，１３０，１４０，１６０，１８０，１９０，２００・・・採光システム、２０，５０・・・光透過装置、３０，６０・・・遮光装置、５１・・・スラット、５２・・・散乱板、５３，１５２・・・突起部、５４・・・プリズム、５５・・・遮光部、５６・・・光透過部、５７・・・複合スラット、８０，１２０，１５０・・・採光装置、８１，１５３・・・採光シート、８２・・・第１ガラス基板（第１基板）、８３・・・光拡散シート、８４・・・第２ガラス基板（第２基板）、８５・・・フレーム（支持部材）、８６・・・スペーサー、８７，１５１・・・基材、８８・・・突起部、１７０・・・光拡散装置、１０００・・・部屋モデル、１００１・・・窓ガラス、１００２・・・部屋、１１００・・・窓ガラス、１１０１・・・ガラス板（第１のガラス板）、１１０２・・・ガラス板（第２のガラス板）、１１０３・・・スペーサー。
【図１Ａ】
2016175207.tif 000003
【図１Ｂ】
2016175207.tif 000004
【図２Ａ】
2016175207.tif 000005
【図２Ｂ】
2016175207.tif 000006
【図３Ａ】
2016175207.tif 000007
【図３Ｂ】
2016175207.tif 000008
【図４Ａ】
2016175207.tif 000009
【図４Ｂ】
2016175207.tif 000010
【図５Ａ】
2016175207.tif 000011
【図５Ｂ】
2016175207.tif 000012
【図６Ａ】
2016175207.tif 000013
【図６Ｂ】
2016175207.tif 000014
【図７Ａ】
2016175207.tif 000015
【図７Ｂ】
2016175207.tif 000016
【図８Ａ】
2016175207.tif 000017
【図８Ｂ】
2016175207.tif 000018
【図８Ｃ】
2016175207.tif 000019
【図９】
2016175207.tif 000020
【図１０】
2016175207.tif 000021
【図１１】
2016175207.tif 000022
【図１２】
2016175207.tif 000023
【図１３Ａ】
2016175207.tif 000024
【図１３Ｂ】
2016175207.tif 000025
【図１３Ｃ】
2016175207.tif 000026
【図１３Ｄ】
2016175207.tif 000027
【図１４Ａ】
2016175207.tif 000028
【図１４Ｂ】
2016175207.tif 000029
【図１４Ｃ】
2016175207.tif 000030
【図１５】
2016175207.tif 000031
【図１６】
2016175207.tif 000032
【図１７】
2016175207.tif 000033
【手続補正書】
【提出日】平成29年10月30日(2017.10.30)
【手続補正１】
【補正対象書類名】図面
【補正対象項目名】図７Ａ
【補正方法】変更
【補正の内容】
【図７Ａ】
2016175207.tif 000034
【手続補正２】
【補正対象書類名】図面
【補正対象項目名】図７Ｂ
【補正方法】変更
【補正の内容】
【図７Ｂ】
2016175207.tif 000035
【手続補正３】
【補正対象書類名】図面
【補正対象項目名】図８Ｂ
【補正方法】変更
【補正の内容】
【図８Ｂ】
2016175207.tif 000036
【手続補正４】
【補正対象書類名】図面
【補正対象項目名】図８Ｃ
【補正方法】変更
【補正の内容】
【図８Ｃ】
2016175207.tif 000037
【国際調査報告】
2016175207.tif 000038
2016175207.tif 000039
2016175207.tif 000040
2016175207.tif 000041